(57)【要約】【課題】本発明は、ＣＤ−Ｒ／ＲＷドライブで完全な複製が困難なメディアを提供でき、コピーを防止または無効なものにすることができるコピープロテクタを有する記録媒体を提供でき、オリジナルディスクとコピーディスクの判別が安定して行うことができる光ディスクドライバ装置、コピープロテクタを有する記録媒体判別方法、該方法を実行するためのプログラム及び該プログラムを格納したコンピュータ読み取り可能な記録媒体を提供することを目的とする。【解決手段】本発明のコピープロテクタを有する記録媒体は、少なくとも１つのオーディオトラック（３００）を有し、オーディオトラック（３００）に繰り返し読むとランダム的で不安定なデータである意図せず異なるデータが読める特定の領域を設けた。【選択図】　　　　図１
2004103109.tif 000002
【特許請求の範囲】
【請求項１】
少なくとも１つのオーディオトラックを有し、該オーディオトラックに繰り返し読むとランダム的で不安定なデータである意図せず異なるデータが読める特定の領域を設けたことを特徴とする、コピープロテクタを有する記録媒体。
【請求項２】
繰り返し読むとランダム的で不安定なデータである意図せず異なるデータが読める特定の領域には、繰り返し読むとランダム的で不安定なデータである意図せず異なるデータが読めるセクタと繰り返し読むと同じデータが読めるセクタを含む請求項１記載のコピープロテクタを有する記録媒体。
【請求項３】
請求項１又は２に記載のコピープロテクタを有する記録媒体を再生する光ディスクドライバ装置において、
繰り返し読むとランダム的で不安定なデータである意図せず異なるデータが読めるセクタにおいてアドレスを示すコードを再生する再生手段を有することを特徴とする光ディスクドライバ装置。
【請求項４】
記録媒体のある特定領域内の同じ領域を複数回読んだ結果が異なる場合または異なる割合が一定値以上の場合はオリジナルディスクと判断し、記録媒体のある特定領域内の同じ領域を複数回読んだ結果が同じ場合または異なる割合が一定値未満の場合はコピーディスクと判断することを特徴とする、コピープロテクタを有する記録媒体判別方法。
【請求項５】
コンピュータにより、
記録媒体のある特定領域内の同じ領域を複数回読んだ結果が異なる場合または異なる割合が一定値以上の場合はオリジナルディスクと判断する手順と、記録媒体のある特定領域内の同じ領域を複数回読んだ結果が同じ場合または異なる割合が一定値未満の場合はコピーディスクと判断する手順とを実行することを特徴とする、コピープロテクタを有する記録媒体判別プログラム。
【請求項６】
請求項５記載のコピープロテクタを有する記録媒体判別プログラムを格納したコンピュータ読み取り可能な記録媒体。
【発明の詳細な説明】
【０００１】
【発明の属する技術分野】
本発明はコピープロテクタを有する記録媒体、光ディスクドライバ装置、コピープロテクタを有する記録媒体判別方法、該方法を実行するためのプログラム及び該プログラムを格納したコンピュータ読み取り可能な記録媒体に関し、詳細には不正コピーを抑止する効果のある記録媒体に関する。
【０００２】
【従来の技術】
【特許文献１】特開平７−２３５１３０号公報
【特許文献２】特開２０００−３４８４３５号公報
【特許文献３】特開２００１−５１０９２５号公報
近年、ＣＤ−Ｒ／ＲＷドライブ及びメディアが低価格化し、個人でＣＤ−ＲＯＭのバックアップがあたりまえのように行われている。しかし、この簡単にＣＤ−ＲＯＭのバックアップが取れる状況は、同時に多くの不正コピーも生み出し、コンテンツメーカに多大な被害を与えている。そんな中、多くのコピープロテクト手段が考案され、有効なものは実際の製品に実施されている。しかし、その効果は長続きせず、新しいコピープロテクトが登場する度にそれを回避する新しいコピーツールが登場していた。
【０００３】
現在、代表的なコピープロテクト方法はコピーデータの読出しを阻止してコピーさせない方法と、コピーされたアプリケーションの実行時不正コピーを判断して動作を制限する方法の二種類がある。
【０００４】
前者はアプリケーションプログラムでアクセスしない部分を読み出せないようにしておき、デッドコピーのデータイメージを作るとき読出しエラーを発生させ読出しを中断させたり、読出し時間が異常にかかるようにしたものである。しかし、現在のコピーツールはエラーで読出しを中断しないし、ドライブのリトライ回数やドライブがエラーを報告しないような設定ができたり、読出しできない部分を予測する機能があり、このようなツールを使用されるとコピープロテクトとしての効果がほとんど無い。
【０００５】
後者はデッドコピーされ難い部分を作っておき、アプリケーションプログラムが実行開始時にこの部分の有無によりコピーされたか否かを判断し、不正コピーと判断した場合には動作を制限することでコピー自体を無意味なものにするものである。これは現在とても有効な手段であるがコピーされ難い部分をいかに構成するかが重要な鍵となっている。
【０００６】
そこで、従来提案されているものとして、上記特許文献１及び特許文献２ではコピーされ難い部分を読出しできない領域、すなわちホストが読出しを行うとエラーが発生する領域としている。基本的に、ＣＤ−Ｒ／ＲＷドライブは正常にデータを読めるように書き込みを行うため、読出しを行うとエラーが発生する部分をコピーするのは困難である。しかし、ＲＡＷモードと呼ばれるホストから送られたイメージデータをそのまま書き込む方法だと、ＣＤ−ＲＯＭデータに細工をして論理的に読出しエラーを発生させることが可能である。現在のバックアップ専用コピーツールは、ＲＡＷモードでの書き込みを行っており読出しを行うとエラーが発生する部分のコピーも可能であり、読出しを行うとエラーが発生するというだけではコピープロテクトの効果を失いつつある。そこで、発展系として上記特許文献１及び特許文献２では、読出しエラー領域のエラーデータのパターンマッチングを行うことでより検出能力を高めている。また、上記特許文献３には例えばＡをＢと誤って再生してしまう特殊な信号を記録しておき、反復再生したデータを統計処理して生成されたパターンが所望のパターンか否かで不正コピーを判断している。これは非常にセキュリティの高い方法と思われる。
【０００７】
【発明が解決しようとする課題】
しかし、上記特許文献１及び特許文献に記載の読出しエラー領域のエラーデータのパターンマッチングを行う手段もあまり意味が無い。なぜならば、専用の再生装置を使用するなら別であるが、アプリケーションプログラムがパターンマッチングを行うということはそのデータを読み出す手段があると言うことで、その手段があればコピーツールがそのパターンを読出しエラーが発生する細工と一緒にコピーすることが可能であるからである。また、上記特許文献２に記載の特殊な信号を記録しておく方法では、不安定な状態の信号再生は再生装置の再生特性に大きく依存し、再生装置により再生パターンが片寄り統計処理をしたとしても再生装置により得られるパターンが異なる可能性が高く判断ミスを招く恐れがある。
【０００８】
本発明はこれらの問題点を解決するためのものであり、ＣＤ−Ｒ／ＲＷドライブで完全な複製が困難なメディアを提供でき、コピーを防止または無効なものにすることができるコピープロテクタを有する記録媒体を提供でき、オリジナルディスクとコピーディスクの判別が安定して行うことができる光ディスクドライバ装置、コピープロテクタを有する記録媒体判別方法、該方法を実行するためのプログラム及び該プログラムを格納したコンピュータ読み取り可能な記録媒体を提供することを目的とする。
【０００９】
【課題を解決するための手段】
前記問題点を解決するために、本発明のコピープロテクタを有する記録媒体は、少なくとも１つのオーディオトラックを有し、該オーディオトラックに繰り返し読むとランダム的で不安定なデータである意図せず異なるデータが読める特定の領域を設けたことに特徴がある。よって、ＣＤ−Ｒ／ＲＷドライブで完全な複製が困難なメディアを提供でき、コピーを防止または無効なものにうすることができる。
【００１０】
また、繰り返し読むとランダム的で不安定なデータである意図せず異なるデータが読める特定の領域には、繰り返し読むとランダム的で不安定なデータである意図せず異なるデータが読めるセクタと繰り返し読むと同じデータが読めるセクタを含むことにより、不安定な信号再生部分と安定な信号再生部分との補完機能を維持してデータの取り込みを確実に行うことができる。
【００１１】
更に、別の発明としての上記記載のコピープロテクタを有する記録媒体を再生する光ディスクドライバ装置は、繰り返し読むとランダム的で不安定なデータである意図せず異なるデータが読めるセクタにおいてアドレスを示すコードを再生する再生手段を有することに特徴がある。よって、オリジナルディスクとコピーディスクの判別が安定して行うことができる。
【００１２】
また、別の発明としての上記記載のコピープロテクタを有する記録媒体判別方法によれば、記録媒体のある特定領域内の同じ領域を複数回読んだ結果が異なる場合または異なる割合が一定値以上の場合はオリジナルディスクと判断し、記録媒体のある特定領域内の同じ領域を複数回読んだ結果が同じ場合または異なる割合が一定値未満の場合はコピーディスクと判断する。よって、オリジナルディスクとコピーディスクの判別が安定して行うことができる。
【００１３】
更に、別の発明としての上記記載のコピープロテクタを有する記録媒体判別プログラムは、コンピュータにより、記録媒体のある特定領域内の同じ領域を複数回読んだ結果が異なる場合または異なる割合が一定値以上の場合はオリジナルディスクと判断する手順と、記録媒体のある特定領域内の同じ領域を複数回読んだ結果が同じ場合または異なる割合が一定値未満の場合はコピーディスクと判断する手順とを実行する。よって、オリジナルディスクとコピーディスクの判別が安定して行うことができる。
【００１４】
また、別の発明としての上記記載のコピープロテクタを有する記録媒体判別プログラムを格納したコンピュータ読み取り可能な記録媒体に特徴がある。
【００１５】
【発明の実施の形態】
本発明のコピープロテクタを有する記録媒体は、少なくとも１つのオーディオトラックを有し、オーディオトラックに繰り返し読むとランダム的で不安定なデータである意図せず異なるデータが読める特定の領域を設けた。
【００１６】
【実施例】
図１は本発明の一実施例に係る記録媒体の記録領域を示す模式図である。同図に示すように、本実施例の記録媒体の一例としてコンパクトディスクのＣＤ−ＲＯＭ　ＸＡと呼ばれる形式でディスクの内側から、リードイン１００、データトラック２００、オーディオトラック３００、リードアウト４００と大きく、４つの領域に分けることができる。リードイン１００はディスクの種類やトラックのスタート時間などの情報が記録される領域で、通常ホストからこの情報を読み出すことはできるが、この領域の任意の場所を自由にアクセスすることはできない。データトラック２００はユーザデータ領域でホストが自由にアクセスできる。ＣＤ−ＲＯＭ　ＸＡの場合、通常Ｍｏｄｅ２　Ｆｏｒｍ１形式でアプリケーションプログラムやデータが記録されている。オーディオトラック３００はＣＤ規格のＰＣＭデータが記録される領域で、通常再生装置がこのデータを読出して音楽を再生する。ただし、ホストはこの領域をアクセスしＰＣＭデータを読み出すことが可能であり、アプリケーションによってはホストのＤ／Ａコンバータを使用して音楽を再生することもある。一般的に再生装置のＤ／Ａコンバータよりも外部のＤ／Ａコンバータのほうが高性能な場合が多く、ノイズの少ないクリアな再生ができるようだ。リードアウト４００はユーザ領域の終端を確実にアクセスできるようにするためのガード領域である。ホストはこの領域の任意の場所を自由にアクセスすることはできない。
【００１７】
また、繰り返し読むと意図せず異なるデータが読める領域はオーディオトラック３００に設けてある。ＣＤはディスクに付いた傷やディスクに付着したゴミに対してかなり強い設計がなされているが、限界を超えるとデータに誤りが発生する。音楽再生の場合データに誤りが含まれていてもノイズ音が発生するだけで再生動作に大きな影響はない。それに対し、コンピュータデータの場合コンピュータに重大な障害をもたらす可能性が高く、データに誤りが検出された場合にはホストへのデータ転送は中止される。意図しないデータつまり誤りを含むデータを読み出すのはデータトラックでは困難なのである。ただし、再生装置によってはエラー検出を行わない設定ができるものもあり、この設定を行えば意図しないデータを読み出すことも可能である。汎用性が低いため本発明では、繰り返し読むと意図せず異なるデータが読める領域をオーディオトラック３００に設けたのである。また、繰り返し読むと意図せず異なるデータが読める領域を作るのは比較的簡単である。極端な方法はディスクに何も信号を記録しないことである。再生装置は通常ＲＦ信号のニ値化データの１と０の割合が同じになるようにスライスレベルを決定する。ディスクに信号が何も記録されていないとＲＦ信号のノイズをニ値化することになる。電気のノイズがランダムな信号なため読む度に異なる意図しないデータとなる。しかし、信号が何もないとサーボ信号が得られないばかりかアドレスや同期信号も得られないため読み込みを開始することができないが、サーボ信号については信号の無い部分をピットで溝を形成することで解決できる。また、アドレスや同期信号については信号の無い部分を飛び飛びに配置することで解決可能である。通常再生装置はバーストエラーで信号が欠落しても再生を続行できるように補完機能を持っている。補完機能にも限界があるのでそれが有効に働く範囲で飛び飛び配置するのである。
【００１８】
そこで、図１において、オーディオトラック３００を分割した領域で、ＧＡＰ３０１はオーディオトラックの先頭に設けられる無音部分である。ＸはＦＦＦＦｈデータ部分で、Ｙは００００ｈデータ部分である。このＧＡＰ，Ｘ，Ｙ部分のＲＦ信号は図１に示すような波型をしており信号が正常に記録されていることを示す。一方、Ｚは繰り返し読むと異なるデータが読める部分で、ＲＦ信号は直線をしており信号が正常に記録されていないことを示す。ＹとＺの長さと配置は多くの種類の再生装置を考慮し決定される。ここで、Ｘ領域を設けているのは読み込んだデータのオフセットを補正するためで、ＸとＹの境目をデータの先頭とするためである。これは再生装置によりオーディオデータの読み込み位置が毎回ずれるものがあるからである。特に、古い再生装置ほどこの傾向が強い。プロテクト効果を考えた場合Ｚ部分は長いほうが良いが、補完機能に頼っては安定動作が望めないため別の方式を考えるものとする。図１に示すように、Ｚ部分１セクタは９８ＥＦＭフレームで構成されている。更に、１ＥＦＭフレームは５８８チャネルビットで構成されており、主に、同期、サブコード、データ、パリティの領域に分けられる。ここで、正常に再生したい信号は、同期、サブコード信号である。そこで、同期、サブコード領域とその前後の信号は正常に記録し、それ以外の部分を例えば無信号で異常記録する。このようなＥＦＭフレームでＺを構成すればＺが連続しても安定したアクセスと読み込み開始が可能である。ただし、スライスレベルが無信号部分で大きく変化すると正常に記録された信号部分が再生できなくなる。従って、無信号部分のＲＦ信号はピットの深さをチューニングし３Ｔ信号の中心を示すようにする。
【００１９】
図２はオリジナルディスクとコピーディスクでコピーし難い部分のデータの様子を示す図である。同図は、コピープロテクトのために設けられた特殊な領域を読み出した場合にどうなるかを簡単に表したものである。この特殊な領域を読み出すと、オリジナルディスクの場合繰り返し読むと意図せず異なるデータが読める。１回目のデータが規則的なデータであるが、これはデータを見やすくするためでランダムな意図しないデータと考える。２回目〜５回目とそれぞれ異なるデータが読め、前回と異なるデータが読めた部分のデータを四角で囲った。これを数えると不一致データ数は１４となる。一方、オリジナルディスクで１回目に読めたデータがコピーされたとすると、ＣＤ−Ｒ／ＲＷでデータの書き込みを行うと正しく信号が記録されるため基本的に何度データを読み込んでも同じデータが読めるはずである。ただし、傷やゴミによりデータエラーが発生する可能性もあるのでそのケースを３回目の読み込みデータに示した。コピーディスクの場合不一致データ数は１となる。つまり複数回読んだ時の不一致データ数でオリジナルディスクとコピーディスクを判別可能である。
【００２０】
図３は別の発明に係るコピープロテクタを有する記録媒体判別の処理を示すフローチャートである。先ず、コピーディスクを判別するためのプログラムは特定のオーディオトラックをリードする（ステップＳ１０１）。読み込んだデータのオフセットを排除し記憶する（ステップＳ１０２）。図１の場合を例にするとＧＡＰ直後から読み込みを開始しデータがＦＦＦＦｈから００００ｈになる部分を有効データの先頭としそこから所定バイト数を比較データとする。１回目は比較データが無いので比較を行わない。２回目のリードで読み込まれたデータは１回目と同じくオフセット処理を行う。そして、１回目のデータと比較し異なるデータを数え記憶する。３回目、４回目と１つ前に読み込んだデータと比較しこれを所定回繰り返す（ステップＳ１０３）。そして、異なるデータ数である不一致データ数の合計が所定の数より大きければ（ステップＳ１０４；ＹＥＳ）、オリジナルディスクと判断してアプリケーションを正常に実行するなどの処理を行う（ステップＳ１０５）。一方、異なるデータ数である不一致データ数の合計が所定の数より小さければ（ステップＳ１０４；ＮＯ）、コピーディスクと判断してアプリケーションを強制終了するなどの処理を行う（ステップＳ１０６）。なお、オリジナルディスクかコピーディスクかを判別するステップＳ１０４では、異なるデータ数である不一致データ数の合計が所定の数より大きいか小さいかで判別したが、異なるデータの全体に占める割合が一定値以上か一定値以下かで判別してもよい。よって、本実施例によれば、オリジナルディスクとコピーディスクの判別が安定して行うことができる。
【００２１】
次に、上記実施例のコピープロテクタを有する記録媒体を再生する光ディスクドライブ装置について説明する。
図４は別の発明の一実施例に係る光ディスクドライブ装置の構成を示すブロック図である。同図において、本実施例の光ディスクドライブ装置は、スピンドルモータ１１、光ピックアップ１２、モータドライバ１３、リードアンプ１４、サーボ手段１５、ＣＤデコーダ１６、ＡＴＩＰデコーダ１７、レーザコントローラ１８、ＣＤエンコーダ１９、ＣＤ−ＲＯＭエンコーダ２０、バッファＲＡＭ２１、バッファマネージャ２２、ＣＤ−ＲＯＭデコーダ２３、ＡＴＡＰＩ／ＳＣＳＩインターフェース２４、Ｄ／Ａコンバータ２５、ＲＯＭ２６、ＣＰＵ２７、ＲＡＭ２８を含んで構成されている。なお、図中、ＬＢはレーザ光、Ａｕｄｉｏはオーディオ出力信号を示し、矢印はデータが主に流れる方向を示している。また、図を簡略化するために、図４の各ブロックを制御するＣＰＵ２７には、太線のみを付けて各ブロックとの接続を省略している。ＲＯＭ２６には、ＣＰＵ２７にて解読可能なコードで記述された制御プログラムが格納されている。なお、光ディスクドライブの電源がオン状態になると、上記プログラムは不図示のメインメモリにロードされ、ＣＰＵ２７はそのプログラムに従って上記各部の動作を制御するとともに、制御に必要なデータ等を一時的にＲＡＭ２８に保存する。
【００２２】
次に、図４に示す構成を有する本実施例の光ディスクドライブ装置の構成と動作について説明する。光ディスク１０は、スピンドルモータ１１によって回転駆動される。このスピンドルモータ１１は、モータドライバ１３とサーボ手段１４により、線速度が一定になるように制御される。この線速度は、階段的に変更することが可能である。光ピックアップ１２は、図示されない半導体レーザ、光学系、フォーカスアクチュエータ、トラックアクチュエータ、受光素子およびポジションセンサを内蔵しており、レーザ光ＬＢを光ディスク１０に照射する。また、この光ピックアップ１２は、シークモータによってスレッジ方向への移動が可能である。これらのフォーカスアクチュエータ、トラックアクチュエータ、シークモータは、受光素子とポジションセンサから得られる信号に基づいて、モータドライバ１３とサーボ手段１４により、レーザ光ＬＢのスポットが光ディスク１０上の目的の場所に位置するように制御される。
【００２３】
そして、リード時には、光ピックアップ１２によって得られた再生信号が、リードアンプ１４で増幅されて２値化された後、ＣＤデコーダ１６に入力される。入力された２値化データは、このＣＤデコーダ７において、ＥＦＭ（Ｅｉｇｈｔｔｏ　Ｆｏｕｒｔｅｅｎ　Ｍｏｄｕｌａｔｉｏｎ）復調される。なお、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。復調されたデータは、デインターリーブとエラー訂正の処理が行われる。その後、このデータは、ＣＤ−ＲＯＭデコーダ２３へ入力され、データの信頼性を高めるために、さらに、エラー訂正の処理が行われる。このように２回のエラー訂正の処理が行われたデータは、バッファマネージャ２２によって一旦バッファＲＡＭ２１に蓄えられ、セクタデータとして揃った状態で、ＡＴＡＰＩ／ＳＣＳＩインターフェース２４を介して、図示しないホストコンピュータへ一気に転送される。なお、音楽データの場合には、ＣＤデコーダ１６から出力されたデータが、Ｄ／Ａコンバータ２５へ入力され、アナログのオーディオ出力信号Ａｕｄｉｏとして取り出される。この取り出されたオーディオ出力信号Ａｕｄｉｏ内の特殊な領域に記録された繰り返し読むとランダム的で不安定なデータである意図せず異なるデータが上記記載のコピープロテクタを有する記録媒体判別方法によって判別処理され、オリジナルディスクとコピーディスクの判別が安定して行うことができる。
【００２４】
また、ライト時には、ＡＴＡＰＩ／ＳＣＳＩインターフェース２４を通して、ホストコンピュータから送られてきたデータは、バッファマネージャ２２によって一旦バッファＲＡＭ２１に蓄えられる。そして、バッファＲＡＭ２１内にある程度の量のデータが蓄積された状態で、ライト動作が開始されるが、この場合には、その前にレーザスポットを書き込み開始地点に位置させる必要がある。この地点は、トラックの蛇行により予め光ディスク１０上に刻まれているウォブル信号によって求められる。ウォブル信号には、ＡＴＩＰと呼ばれる絶対時間情報が含まれており、この情報が、ＡＴＩＰデコーダ１７によって取り出される。また、このＡＴＩＰデコーダ１７によって生成される同期信号は、ＣＤエンコーダ１９へ入力され、光ディスク１上の正確な位置へのデータの書き込みを可能にしている。バッファＲＡＭ２１のデータは、ＣＤ−ＲＯＭエンコーダ２０やＣＤエンコーダ１９において、エラー訂正コードの付加や、インターリーブが行われ、レーザコントローラ１８、光ピックアップ１２を介して、光ディスク１０に記録される。なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００２５】
図５は図４の光ディスクドライブ装置を使用した情報処理装置の概略図である。同図において、情報処理装置５０は、主制御装置５１、インターフェース５２、図４の光ディスクドライブ装置５３、記録装置５４、入力装置５５及び表示装置５６を有している。主制御装置５１は、マイクロコンピュータ、メインメモリ（いずれも不図示）などを含んで構成され、全体を制御する。インターフェース５２は、光ディスクドライブとの双方向の通信インターフェースであり、ＡＴＡＰＩ及びＳＣＳＩ等の標準インターフェースに準拠している。インターフェース５２は光ディスクドライブ５３のインターフェース５２と接続されている。なお、各インターフェース間の接続形態は、通信ケーブル、例えばＳＣＳＩケーブルなどの通信線を用いたケーブル接続だけでなく、赤外線などを利用したワイヤレス接続であっても良い。ハードディスク（ＨＤＤ）などの記録装置５４には、主制御装置５１のマイクロコンピュータで解読可能なコードで記述されたプログラムが格納されている。なお、情報処理装置の駆動電源がオン状態になると、上記プログラムは主制御装置５１のメインメモリにロードされる。また、表示装置５６は、例えばＣＲＴ、液晶ディスプレイ（ＬＣＤ）及びプラズマディスプレイパネル（ＰＤＰ）などの表示部（図示省略）を備え、主制御装置５１からの各種情報を表示する。更に、入力装置５５は、例えばキーボード、マウス及びポインティングデバイスなどのうち少なくとも１つの入力媒体（図示省略）を備え、ユーザから入力された各種情報を主制御装置５１に通知する。なお、入力媒体からの情報はワイヤレス方式で入力されても良い。また、入力装置５５と表示装置５６が一体化したものとして、例えばタッチパネル付きＣＲＴなどがある。また、情報処理装置５０はオペレーティングシステム（以下ＯＳという）を搭載している。そして、情報処理装置５０を構成する全てのデバイスはＯＳによって管理されているものとする。
【００２６】
次に、図６は本発明のシステム構成を示すブロック図である。つまり、同図は上記実施例におけるコピープロテクタを有する記録媒体判別方法によるソフトウェアを実行するマイクロプロセッサ等から構築されるハードウェアを示すものである。同図において、コピープロテクタを有する記録媒体判別化システムはインターフェース（以下Ｉ／Ｆと略す）６１、ＣＰＵ６２、ＲＯＭ６３、ＲＡＭ６４、表示装置６５、ハードディスク６６、キーボード６７及びＣＤ−ＲＯＭドライブ６８を含んで構成されている。また、汎用の処理装置を用意し、ＣＤ−ＲＯＭ６９などの読取可能な記録媒体には、本発明のコピープロテクタを有する記録媒体判別方法を実行するプログラムが記憶されている。更に、Ｉ／Ｆ６１を介して外部装置から制御信号が入力され、キーボード６７によって操作者による指令又は自動的に本発明のプログラムが起動される。そして、ＣＰＵ６２は当該プログラムに従って上述のコピープロテクタを有する記録媒体判別方法に伴う記録媒体判別化制御処理を施し、その処理結果をＲＡＭ６４やハードディスク６６等の記憶装置に格納し、必要により表示装置６５などに出力する。以上のように、本発明のコピープロテクタを有する記録媒体判別方法を実行するプログラムが記憶した媒体を用いることにより、既存のシステムを変えることなく、コピープロテクタを有する記録媒体判別化システムを汎用的に構築することができる。
【００２７】
なお、本発明は上記実施例に限定されるものではなく、特許請求の範囲内の記載であれば多種の変形や置換可能であることは言うまでもない。
【００２８】
【発明の効果】
以上説明したように、本発明のコピープロテクタを有する記録媒体は、少なくとも１つのオーディオトラックを有し、該オーディオトラックに繰り返し読むとランダム的で不安定なデータである意図せず異なるデータが読める特定の領域を設けたことに特徴がある。よって、ＣＤ−Ｒ／ＲＷドライブで完全な複製が困難なメディアを提供でき、コピーを防止または無効なものにうすることができる。
【００２９】
また、繰り返し読むとランダム的で不安定なデータである意図せず異なるデータが読める特定の領域には、繰り返し読むとランダム的で不安定なデータである意図せず異なるデータが読めるセクタと繰り返し読むと同じデータが読めるセクタを含むことにより、不安定な信号再生部分と安定な信号再生部分との補完機能を維持してデータの取り込みを確実に行うことができる。
【００３０】
更に、別の発明としての上記記載のコピープロテクタを有する記録媒体を再生する光ディスクドライバ装置は、繰り返し読むとランダム的で不安定なデータである意図せず異なるデータが読めるセクタにおいてアドレスを示すコードを再生する再生手段を有することに特徴がある。よって、オリジナルディスクとコピーディスクの判別が安定して行うことができる。
【００３１】
また、別の発明としての上記記載のコピープロテクタを有する記録媒体判別方法によれば、記録媒体のある特定領域内の同じ領域を複数回読んだ結果が異なる場合または異なる割合が一定値以上の場合はオリジナルディスクと判断し、記録媒体のある特定領域内の同じ領域を複数回読んだ結果が同じ場合または異なる割合が一定値未満の場合はコピーディスクと判断する。よって、オリジナルディスクとコピーディスクの判別が安定して行うことができる。
【００３２】
更に、別の発明としての上記記載のコピープロテクタを有する記録媒体判別プログラムは、コンピュータにより、記録媒体のある特定領域内の同じ領域を複数回読んだ結果が異なる場合または異なる割合が一定値以上の場合はオリジナルディスクと判断する手順と、記録媒体のある特定領域内の同じ領域を複数回読んだ結果が同じ場合または異なる割合が一定値未満の場合はコピーディスクと判断する手順とを実行する。よって、オリジナルディスクとコピーディスクの判別が安定して行うことができる。
【００３３】
また、別の発明としての上記記載のコピープロテクタを有する記録媒体判別プログラムを格納したコンピュータ読み取り可能な記録媒体に特徴がある。
【図面の簡単な説明】
【図１】本発明の一実施例に係る記録媒体の記録領域を示す模式図である。
【図２】オリジナルディスクとコピーディスクでコピーし難い部分のデータの様子を示す図である。
【図３】別の発明に係るコピープロテクタを有する記録媒体判別の処理を示すフローチャートである。
【図４】別の発明の一実施例に係る光ディスクドライブ装置の構成を示すブロック図である。
【図５】図４の光ディスクドライブ装置を使用した情報処理装置の概略図である。
【図６】本発明のシステム構成を示すブロック図である。
【符号の説明】
１００；リードイン、２００；データトラック、３００；オーディオトラック、４００；リードアウト。
【図１】
2004103109.tif 000003
【図２】
2004103109.tif 000004
【図３】
2004103109.tif 000005
【図４】
2004103109.tif 000006
【図５】
2004103109.tif 000007
【図６】
2004103109.tif 000008